(57)【要約】 【課題】画像データに対する特定処理の実行の受け付けにおいて、中断された注文操作が再開された際のユーザの負担を軽減すること。【解決手段】受付端末１は、メモリカードＭＣに記憶された画像データからサムネイル画像データを取得する。ユーザが選択した画像のプリントサイズや枚数等を注文情報として一時的に記憶する。また、注文が確定した際には、メモリカードＭＣから画像データを読み取って一時的に記憶する。注文操作が中断された際には、中断オーダー番号を発行すると共に、その中断時点において一時的に記憶しているデータを中断オーダーとしてオーダー管理装置３のＤＢ部５に記憶する。注文操作の再開時には、受付端末１で入力された中断オーダー番号に対応付けられた中断オーダーをＤＢ部５から読み出して受付端末１に送信し、サムネイル画像の表示や、注文操作に基づく注文情報の更新を行う。【選択図】図１
2007193580.tif 000002
【特許請求の範囲】
【請求項１】
画像データに対する特定処理の実行をユーザの注文操作に従って受け付けるオーダー受付装置において、
前記注文操作に基づいて注文情報を作成する注文情報作成手段と、
前記注文操作が中断された場合に、当該中断時において前記注文情報作成手段に作成された注文情報と前記画像データとを一時的に記憶する中断情報記憶手段と、
前記中断された注文操作が再開された場合に、前記中断情報記憶手段から注文情報及び画像データを読み出し、当該再開された注文操作に基づいて当該注文情報を更新して、その読み出した画像データに対する前記特定処理の実行を再受付する受付再開手段と、
を備えることを特徴とするオーダー受付装置。
【請求項２】
記憶媒体に記憶された画像データを読み取る読取手段を更に備え、
前記中断情報記憶手段は、
前記注文操作が中断された場合に、当該中断時において前記読取手段が読み取った画像データと前記注文情報とを対応付けて一時的に記憶することを特徴とする請求項１に記載のオーダー受付装置。
【請求項３】
前記記憶媒体に記憶された画像データのうち、前記中断情報記憶手段に記憶された画像データと異なる画像データを判別するデータ判別手段を更に備え、
前記読取手段は、
前記中断された注文操作が再開された場合に、前記データ判別手段により前記中断情報記憶手段に記憶された画像データと異なる画像データと判別された画像データを前記記憶媒体から読み取る再開時読取手段を有することを特徴とする請求項２に記載のオーダー受付装置。
【請求項４】
前記記憶媒体に記憶された画像データを前記注文操作に従って選択する選択手段を更に備え、
前記読取手段は、
前記選択手段により選択された画像データを前記記憶媒体から読み取る、
ことを特徴とする請求項２又は３に記載のオーダー受付装置。
【請求項５】
前記データ判別手段は、
前記選択手段に選択された画像データのうち、前記中断情報記憶手段に記憶された画像データと異なる画像データを判別する選択画像判別手段を有し、
前記読取手段は、
前記中断された注文操作が再開された場合に、前記選択画像判別手段により前記中断情報記憶手段に記憶された画像データと異なる画像データと判別された画像データを前記記憶媒体から読み取る再開時選択画像読取手段を有することを特徴とする請求項４に記載のオーダー受付装置。
【請求項６】
前記記憶媒体に記憶された画像データを一覧表示する一覧表示手段と、
前記一覧表示された画像データのうち、前記選択手段により選択された画像データを前記中断情報記憶手段に記憶された注文情報に基づいて識別表示する識別表示手段と、
を更に備えることを特徴とする請求項４又は５に記載のオーダー受付装置。
【請求項７】
前記注文操作が中断された場合に、中断識別情報を発行する発行手段と、
前記中断識別情報を入力する入力手段と、
を更に備え、
前記中断情報記憶手段は、
前記発行手段により発行された中断識別情報と前記注文情報とを対応付けて記憶し、
前記受付再開手段は、
前記入力手段により入力された中断識別情報に対応付けられた注文情報を前記中断情報記憶手段から読み出して、前記再開された注文操作に基づいて当該注文情報を更新する、  ことを特徴とする請求項１〜６の何れか一項に記載のオーダー受付装置。
【請求項８】
前記注文操作に従って受付画面を更新表示する受付画面表示手段を更に備え、
前記中断情報記憶手段は、
前記注文操作が中断された際に、当該中断時において前記受付画面表示手段が表示している受付画面の画面情報を取得して、その画面情報を前記注文情報に対応付けて記憶し、
前記受付再開手段は、
前記中断された注文操作が再開された場合に、前記中断情報記憶手段に記憶された画面情報を読み出し、その画面情報に基づいた受付画面を前記受付画面表示手段に表示させる、
ことを特徴とする請求項１〜７に記載のオーダー受付装置。
【請求項９】
前記中断情報記憶手段への記憶期間を指定する期間指定手段と、
前記注文情報及び前記画像データを記憶した期間が前記期間指定手段により指定された記憶期間を超えた場合に、当該注文情報及び画像データを前記中断情報記憶手段から消去する消去手段と、
を更に備えることを特徴とする請求項１〜８の何れか一項に記載のオーダー受付装置。
【請求項１０】
前記画像データに対する特定処理は、当該画像データに基づいた画像を前記注文情報に応じてプリントするプリント処理を含むことを特徴とする請求項１〜９の何れか一項に記載のオーダー受付装置。
【請求項１１】
コンピュータを、
ユーザの注文操作に基づいて注文情報を作成する注文情報作成手段、
前記注文操作が中断された場合に、当該中断時において前記注文情報作成手段により作成された注文情報と、当該注文情報に基づいた特定処理の実行の対象となる画像データとを一時的に記憶する中断情報記憶手段、
前記中断された注文操作が再開された場合に、前記中断情報記憶手段から注文情報及び画像データを読み出し、当該再開された注文操作に基づいて当該注文情報を更新して、読み出した画像データに対する前記特定処理の実行を再受付する受付再開手段、
として機能させるためのプログラム。
【発明の詳細な説明】
【技術分野】
【０００１】
本発明は、画像データに対する特定処理の実行をユーザの注文操作に従って受け付けるオーダー受付装置等に関する。
【背景技術】
【０００２】
近年、デジタル化された画像データの写真プリントやＣＤ−Ｒ等のメディアへの書き込み等の注文受付を行うオーダー受付装置が普及している。プリント受付装置は、記憶媒体に記憶された画像データの一覧を例えば、サムネイル形式の画像一覧として表示する。ユーザは、この一覧の中から所望の画像を選択し、プリントのサイズや枚数、トリミングの有無等の項目を設定して注文を確定する。
【０００３】
プリント受付装置は、ユーザの注文操作に従って選択された画像の画像データをメモリカードから読み出すと共に、当該注文操作に従って設定されたプリントのサイズや枚数等を、ＤＰＯＦ（Digital Print Order Format）等のデータ形式の注文情報に変換する。そして、画像データをプリント装置等に送信して、注文情報に基づいたプリントの実行を開始する。
【０００４】
このようなオーダー受付装置は、コンビニエンスストアや電気店等の様々な場所に設置されるようになり、専門的な知識のない一般ユーザが操作可能になった。このため、ユーザの注文操作の負担を軽減する様々な技術が提案され、その一例として次のようなものが知られている。
【０００５】
即ち、デジタルカメラ側で注文情報の設定を行って記憶媒体に記憶し、受付端末側で装填された記憶媒体から画像データと注文情報とを読み出し、バッファメモリに一旦記憶してサーバに送信する技術（特許文献１参照）や、ユーザに選択された項目に対して選択可能な項目のみを表示すると共に、各々の項目で推奨される選択肢を識別可能に表示する技術（特許文献２参照）が知られている。
【特許文献１】特開２００４−６２７１３号公報
【特許文献２】特開２００４−１６４４７８号公報
【発明の開示】
【発明が解決しようとする課題】
【０００６】
ところが、プリントのサイズ、枚数、記憶媒体の種類等のように、注文に必要な設定項目は数多くあり、ユーザが注文操作を中断した後に再開する場合は、初めから同じ注文操作を行わなければならず煩雑であった。特許文献２の技術では、選択可能な項目のみを表示して、ユーザ操作の軽減を図っているが、ユーザはその表示された項目を再度選択して注文操作を行っていくため、同じ操作を繰り返さなければならなかった。
【０００７】
また、近年のデジタルカメラ等の撮影画素の高精度化による一画像当たりのデータサイズの増加と、記憶媒体の大容量化とによって、当該記憶媒体に記憶される全画像データのデータサイズが膨大になっている。それに伴い、注文操作の再開時にオーダー受付装置が画像データを記憶媒体から再び読み出す間の時間が長くなっている。
【０００８】
特許文献１の技術では、受付端末に記憶媒体を装填する前にデジタルカメラ側で注文を確定しておくことで、ユーザの受付端末における待機時間を短くしているが、これを実現するためには、デジタルカメラに注文設定の機能を予め設けておかなければならない。また、既に流通しているデジタルカメラについてこの機能を対応させることが困難であり、現実的ではなかった。
【０００９】
本発明は、上述した課題に鑑みて為されたものであり、その目的とするところは、画像データに対する特定処理の実行の受け付けにおいて、中断された注文操作が再開された際のユーザの負担を軽減することである。
【課題を解決するための手段】
【００１０】
以上の課題を解決するために、請求項１に記載の発明は、
画像データに対する特定処理の実行をユーザの注文操作に従って受け付けるオーダー受付装置において、
前記注文操作に基づいて注文情報を作成する注文情報作成手段と、
前記注文操作が中断された場合に、当該中断時において前記注文情報作成手段に作成された注文情報と前記画像データとを一時的に記憶する中断情報記憶手段と、
前記中断された注文操作が再開された場合に、前記中断情報記憶手段から注文情報及び画像データを読み出し、当該再開された注文操作に基づいて当該注文情報を更新して、その読み出した画像データに対する前記特定処理の実行を再受付する受付再開手段と、
を備えることを特徴としている。
【００１１】
請求項２に記載の発明は、請求項１に記載の発明において、
記憶媒体に記憶された画像データを読み取る読取手段を更に備え、
前記中断情報記憶手段は、
前記注文操作が中断された場合に、当該中断時において前記読取手段が読み取った画像データと前記注文情報とを対応付けて一時的に記憶することを特徴としている。
【００１２】
請求項３に記載の発明は、請求項２に記載の発明において、
前記記憶媒体に記憶された画像データのうち、前記中断情報記憶手段に記憶された画像データと異なる画像データを判別するデータ判別手段を更に備え、
前記読取手段は、
前記中断された注文操作が再開された場合に、前記データ判別手段により前記中断情報記憶手段に記憶された画像データと異なる画像データと判別された画像データを前記記憶媒体から読み取る再開時読取手段を有することを特徴としている。
【００１３】
請求項４に記載の発明は、請求項２又は３に記載の発明において、
前記記憶媒体に記憶された画像データを前記注文操作に従って選択する選択手段を更に備え、
前記読取手段は、
前記選択手段により選択された画像データを前記記憶媒体から読み取る、
ことを特徴としている。
【００１４】
請求項５に記載の発明は、請求項４に記載の発明において、
前記データ判別手段は、
前記選択手段に選択された画像データのうち、前記中断情報記憶手段に記憶された画像データと異なる画像データを判別する選択画像判別手段を有し、
前記読取手段は、
前記中断された注文操作が再開された場合に、前記選択画像判別手段により前記中断情報記憶手段に記憶された画像データと異なる画像データと判別された画像データを前記記憶媒体から読み取る再開時選択画像読取手段を有することを特徴としている。
【００１５】
請求項６に記載の発明は、請求項４又は５に記載の発明において、
前記記憶媒体に記憶された画像データを一覧表示する一覧表示手段と、
前記一覧表示された画像データのうち、前記選択手段により選択された画像データを前記中断情報記憶手段に記憶された注文情報に基づいて識別表示する識別表示手段と、
を更に備えることを特徴としている。
【００１６】
請求項７に記載の発明は、請求項１〜６の何れか一項に記載の発明において、
前記注文操作が中断された場合に、中断識別情報を発行する発行手段と、
前記中断識別情報を入力する入力手段と、
を更に備え、
前記中断情報記憶手段は、
前記発行手段により発行された中断識別情報と前記注文情報とを対応付けて記憶し、
前記受付再開手段は、
前記入力手段により入力された中断識別情報に対応付けられた注文情報を前記中断情報記憶手段から読み出して、前記再開された注文操作に基づいて当該注文情報を更新する、  ことを特徴としている。
【００１７】
請求項８に記載の発明は、請求項１〜７の何れか一項に記載の発明において、
前記注文操作に従って受付画面を更新表示する受付画面表示手段を更に備え、
前記中断情報記憶手段は、
前記注文操作が中断された際に、当該中断時に前記受付画面表示手段が表示している受付画面の画面情報を取得して、その画面情報を前記注文情報に対応付けて記憶し、
前記受付再開手段は、
前記中断された注文操作が再開された場合に、前記中断情報記憶手段に記憶された画面情報を読み出し、その画面情報に基づいた受付画面を前記受付画面表示手段に表示させることを特徴としている。
【００１８】
請求項９に記載の発明は、請求項１〜８の何れか一項に記載の発明において、
前記中断情報記憶手段への記憶期間を指定する期間指定手段と、
前記注文情報及び前記画像データを記憶した期間が前記期間指定手段により指定された記憶期間を超えた場合に、当該注文情報及び画像データを前記中断情報記憶手段から消去する消去手段と、
を更に備えることを特徴としている。
【００１９】
請求項１０に記載の発明は、請求項１〜９の何れか一項に記載の発明において、
前記画像データに対する特定処理は、当該画像データに基づいた画像を前記注文情報に応じてプリントするプリント処理を含むことを特徴としている。
【００２０】
請求項１１に記載のプログラムは、コンピュータを、
ユーザの注文操作に基づいて注文情報を作成する注文情報作成手段、
前記注文操作が中断された場合に、当該中断時において前記注文情報作成手段により作成された注文情報と、当該注文情報に基づいた特定処理の実行の対象となる画像データとを一時的に記憶する中断情報記憶手段、
前記中断された注文操作が再開された場合に、前記中断情報記憶手段から注文情報及び画像データを読み出し、当該再開された注文操作に基づいて当該注文情報を更新して、読み出した画像データに対する前記特定処理の実行を再受付する受付再開手段、
として機能させることを特徴としている。
【発明の効果】
【００２１】
請求項１及び１１に記載の発明によれば、中断された注文操作が再開された場合に、一時的に記憶した注文情報と画像データとを読み出して、その注文操作に基づいて注文情報を更新して、画像データに対する特定処理の実行を再受付するため、ユーザが中断時点までに行った注文操作を再度行う手間が省ける。従って、画像データに対する特定処理の実行の受け付けにおいて、中断された注文操作が再開された際のユーザの負担を軽減することができる。
【００２２】
請求項２に記載の発明によれば、請求項１に記載の発明と同様の効果が得られるのは無論のこと、注文操作の中断時において読み取った画像データを注文情報と対応付けて記憶するため、注文操作の再開時に、その既に読み取った画像データを記憶媒体から再度読み取る必要がなくなる。このため、注文操作の再開時に、記憶媒体からの画像データの読み取り時間が短縮され、ユーザの負担を軽減することができる。
【００２３】
請求項３に記載の発明によれば、請求項２に記載の発明と同様の効果が得られるのは無論のこと、注文操作が中断された際に一時的に記憶された画像データと異なると判別された画像データを、当該注文操作が再開された場合に記憶媒体から読み取るため、重複した同じ画像データを読み取ることを防止して、画像データの読み取り時間を短縮できる。
【００２４】
請求項４に記載の発明によれば、請求項２又は３に記載の発明と同様の効果が得られるのは無論のこと、選択された画像データを記憶媒体から読み取とるため、その選択された画像データが注文情報と対応付けられて記憶される。このため、注文操作の再開時に、ユーザが注文操作の中断時までに選択して読み取った画像データを再度読み取る必要がなくなる。
【００２５】
請求項５に記載の発明によれば、請求項４に記載の発明と同様の効果が得られるのは無論のこと、選択された画像データのうち、中断時に記憶した画像データと異なると判別された画像データを記憶媒体から読み取るため、ユーザにより選択された画像データを既に記憶媒体から読み取っている場合は、その画像データを再度読み取る必要がなくなる。
【００２６】
請求項６に記載の発明によれば、請求項４又は５に記載の発明と同様の効果が得られるのは無論のこと、注文操作が中断された際に一時的に記憶した注文情報に基づいて選択された画像データを識別して一覧表示するため、ユーザが注文操作の中断時に選択していた画像データが識別可能になる。
【００２７】
請求項７に記載の発明によれば、請求項１〜６の何れか一項に記載の発明と同様の効果が得られるのは無論のこと、注文操作の中断時に発行した中断識別情報に対応付けて注文情報を記憶し、入力された中断識別情報に対応付けられた注文情報を読み出して更新するため、ユーザの注文毎に注文操作の中断及び再開が可能となる。
【００２８】
請求項８に記載の発明によれば、請求項１〜７の何れか一項に記載の発明と同様の効果が得られるのは無論のこと、注文操作が再開された場合に、注文情報に対応付けられた画面情報に基づいて受付画面を表示するため、注文操作の中断時に表示していた受付画面を表示することができる。このため、ユーザは、その中断時の受付画面から引き続き注文操作を行うことができる。
【００２９】
請求項９に記載の発明によれば、請求項１〜８の何れか一項に記載の発明と同様の効果が得られるのは無論のこと、一時的に記憶した中断情報及び画像データの記憶期間を任意に指定することができる。
【００３０】
請求項１０に記載の発明によれば、請求項１〜９の何れか一項に記載の発明と同様の効果が得られるのは無論のこと、プリントの注文操作を一時的に中断した後に当該注文操作を再開することが可能となる。
【発明を実施するための最良の形態】
【００３１】
〔システム概要〕
以下、本発明のオーダー受付装置の図１に示すプリント受付システムＳに適用した場合の実施形態について図１〜１４を用いて説明する。先ず、図１のシステム構成の一例を示すブロック図を参照して、プリント受付システムＳの概要について図１を用いて説明する。
【００３２】
プリント受付システムＳは、図１に示すように、受付端末１と、データベース（以下、「ＤＢ」という。）部５及びプリント装置７を管理するオーダー管理装置３と、プリント装置７と、メディア書込装置９とが通信可能に接続されて構成される。
【００３３】
受付端末１は、図２に示すメモリカードスロット２２を備えて構成され、当該メモリカードスロット２２に装填されたメモリカードＭＣから画像データを読み出し、この画像データの写真プリントやメディアへの書き込み等の特定処理の実行の受付を行う。尚、以下の説明では、写真プリントの受け付けを行うこととして説明する。
【００３４】
顧客は、受付端末１を操作して、プリントする画像を選択して、当該画像毎のプリントサイズや枚数等の複数の項目を設定して確定すると、プリント注文が仮受付されて仮受付レシートが発行される。以下、このプリント注文に関する項目の設定操作を「注文操作」という。
【００３５】
顧客が仮受付レシートを店舗内の店員に提出すると、その店員がオーダー管理装置３に仮受付レシートの仮受付番号を入力して、写真プリントの引き渡しの確認に用いられる受注レシートが発行されて、プリント注文の受け付けが完了する。このように、一旦受付端末１においてプリント注文の仮受付を行うのは、無人の受付端末１において悪戯されることを防止するためである。尚、以下の説明では、顧客及び店員を総称して「ユーザ」という。
【００３６】
オーダー管理装置３は、仮受付番号の入力後にプリント注文を受け付けると、受付端末１から受信した画像データや注文情報をＤＢ部５に格納すると共に、当該ＤＢ部５が記憶管理する注文情報に従ってオーダーのスケジューリングを行い、プリント装置７やメディア書込装置９へのプリント開始指示を行う。
【００３７】
プリント装置７は、レーザープリンタ、インクジェットプリント、昇華プリンタ及びデジタルミニラボ等を備えて構成され、オーダー管理装置３の指示に従って、画像データに基づく画像を記録紙上に画像形成して写真プリントとして排出する。メディア書込装置９は、オーダー管理装置３の指示に従って、ＣＤ−ＲやＤＶＤ等の各種メディアに画像データの書き込みを行う。
【００３８】
本実施形態におけるプリント受付システムＳは、上述した注文操作が中断された場合に、その中断時点までに設定された注文内容を注文情報としてＤＢ部５に一時的に記憶しておくことで、その中断した注文操作が再開された際に、既に設定された注文内容をユーザの再度設定する手間を省くことができる。また、その中断時点までに読み取った画像データをＤＢ部５に一時的に記憶しておくことで、メモリカードＭＣから画像データを読み出す時間、即ち、ユーザの待機時間の短縮を図ることができる。
【００３９】
〔受付端末の構成〕
次に、受付端末１の構成について説明する。図２は、受付端末１の機能構成の一例を示すブロック図である。図２に示すように、受付端末１は、制御部１０、表示部１２、入力部１４、通信制御部１６、記憶部１８、レシート発行部２０及びメモリカードスロット２２を備えて構成される。
【００４０】
制御部１０は、ＣＰＵ（Central Processing Unit）、ＲＯＭ（Read Only Memory）、ＲＡＭ（Random Access Memory）等を有して構成され、受付端末１の各機能部を統括的に制御する。より具体的には、入力部１４から入力された操作信号に基づいてＲＯＭに記憶された各種プログラムを読み出し、そのプログラムに従った処理を行う。そして、その処理結果に基づいた表示データを表示部１２に出力して、当該処理結果を表示部１２に表示させる。
【００４１】
表示部１２は、ＣＲＴ（Cathode Ray Tube）やカラーＬＣＤ（liquid crystal display）、ＥＬＤ（Electro Luminescence Display）、プラズマディスプレイ等により構成され、制御部１０から出力される表示データに基づいて受付端末１に係る各種情報や各種受付画面を表示する。また、表示部１２には、入力部１４の一つであるタッチパネルが一体的に形成される。
【００４２】
入力部１４は、カーソルキー、テンキー及び各種ファンクションキー等を有するキーボード等を備えて構成され、ユーザにより押下操作されたキーの操作信号を制御部１０に出力する。また、入力部１４は、マウスやタッチパネル等のポインティングデバイスを備えて構成され、マウスによって表示部１２の画面内のクリック操作された位置や、ユーザの指先等で当接操作された表示部１２内の位置を表す操作信号を制御部１０に出力する。
【００４３】
通信制御部１６は、オーダー管理装置３等の外部機器とデータ通信するための機能部であり、ルータやＴＡ（Terminal Adapter）、モデム、ＬＡＮインターフェイス、ＵＳＢ等により構成される。
【００４４】
レシート発行部２０は、感熱用紙等の印刷用紙に印刷を行う機能部であり、制御部１０の指示の従って画像データのプリントに係るオーダーの仮受付レシートや中断レシートを発行する。制御部１０は、仮受付時にオーダーの内訳と仮受付番号とをレシート発行部２０に印刷させて仮受付レシートとして発行する。また、注文操作が中断された際には、中断オーダー番号をレシート発行部２０に印刷させて中断レシートとして発行させる。
【００４５】
メモリカードスロット２２は、メモリカードＭＣを装填可能に構成され、制御部１０の指示に従ってメモリカードＭＣに記憶された画像データを読み出す。ここでメモリカードＭＣは、磁気的又は光学的にデータの読み書きを行う記憶媒体、若しくは半導体メモリ等であり、メモリカードスロット２２に着脱自在に構成される。記憶媒体の一例としては、フラッシュメモリ、ＭＯ（Magneto-Optic）ディスク、ＣＤ−Ｒ／ＲＷ、ＤＶＤ±Ｒ／ＲＷ、ＨＤＤ（Hard Disk Drive）等が挙げられる。
【００４６】
記憶部１８は、読み書き可能な不揮発性メモリやハードディスク等から構成され、制御部１０が実行する各種プログラムに用いられるデータや、当該プログラムで処理されたデータ等を記憶する。また、記憶部１８は、図２に示すサムネイル画像データ１８０と、実画像データ１８２と、注文情報１８４と、顧客データ１８６と、画面番号１８８とを一時的に記憶する。
【００４７】
サムネイル画像データ１８０は、メモリカードＭＣに記憶された複数の画像データの縮小画像を一覧表示するための画像データである。制御部１０は、メモリカードＭＣに記憶された画像データ毎に縮小サイズの画像データを生成・取得して、サムネイル画像データ１８０として記憶する。
【００４８】
実画像データ１８２は、メモリカードＭＣに記憶された画像データであり、制御部１０が当該メモリカードＭＣから読み出すことにより取得される。注文情報１８４は、プリントを行う画像データ毎のファイル名、プリント方法、納期、プリントサイズ、枚数、トリミングの有無、日付の有無等を含むＤＰＯＦ形式のデータである。尚、注文情報１８４のデータ形式には、適宜公知技術を採用可能である。
【００４９】
顧客データ１８６は、ユーザにより入力された氏名、住所及び電話番号等のユーザ情報である。画面番号１８８は、表示部１２に表示中の受付画面を識別する画面情報であり、画面更新される度に制御部１０が取得して更新される。
【００５０】
制御部１０は、サムネイル画像データ１８０に基づいて図１１（ａ）に示すようなサムネイル画像１３４を表示させ、ユーザにより選択された画像毎に注文情報１８４を作成する。そして、注文操作に従って設定された項目毎の設定内容を注文情報１８４に記憶更新する。また、ユーザが画像毎に枚数やプリントサイズの設定を行った後に、図１２（ａ）及び（ｂ）に示すような顧客データ入力画面１６６および１７２を表示部１２に表示させ、入力された氏名、住所等を顧客データ１８６として記憶する。
【００５１】
制御部１０は、ユーザにより注文が確定された場合には、選択された画像の画像データをメモリカードＭＣから読み出して実画像データ１８２として記憶する。そして、確定した注文に仮受付番号を付与して、実画像データ１８２、注文情報１８４及び顧客データ１８６と共に受注オーダーとしてオーダー管理装置３に送信した後、仮受付レシートを発行する。
【００５２】
また、メモリカードＭＣから画像データの読み出し中に、注文操作が中断された場合には、その中断されたオーダーに中断オーダー番号を付与する。そして、中断時において読み出した分の実画像データ１８２と、サムネイル画像データ１８０、注文情報１８４、顧客データ１８６及び画面番号１８８を対応付けて中断オーダーとしてオーダー管理装置３に送信し、中断レシートを発行する。
【００５３】
一方、画像データの読み出し前に注文操作が中断された場合には、途中まで設定された注文情報１８４、顧客データ１８６及び画面番号１８８に中断オーダー番号を付与して、サムネイル画像データ１８０と共に対応付けて中断オーダーとしてオーダー管理装置３に送信後、中断レシートを発行する。
【００５４】
制御部１０は、ユーザにより中断オーダー番号が入力された際に、当該中断オーダー番号に対応付けられた中断オーダーを後述するＤＢ部５からオーダー管理装置３に検索させて、その中断オーダーを取得する。そして、中断オーダーに含まれるサムネイル画像データ１８０に基づいてサムネイル画像１３４を表示させたり、画面番号１８８に基づいた受付画面を表示させる。また、中断オーダーに含まれる注文情報１８４及び顧客データ１８６を記憶部１８に記憶して、ユーザの注文操作に従ってこれらのデータを更新する。
【００５５】
〔オーダー管理装置の構成〕
次に、オーダー管理装置３の構成について説明する。図３は、オーダー管理装置３の機能構成の一例を示すブロック図である。図３に示すように、オーダー管理装置３は、制御部３０、表示部３２、入力部３４、ＤＢ参照部３６、記憶部３８、通信制御部４０、レシート発行部４２及びＩ／Ｆ部４４を備えて構成される。
【００５６】
尚、オーダー管理装置３の制御部３０、表示部３２、入力部３４、記憶部３８、通信制御部４０及びレシート発行部４２の機能構成は、受付端末１の制御部１０、表示部１２、入力部１４、記憶部１８、通信制御部１６及びレシート発行部２０それぞれの機能構成と同様であるため、その詳細な説明は省略する。
【００５７】
ＤＢ参照部３６は、ＤＢ部５にアクセス可能なミドルウェア（例えば、ＤＢＭＳ：Database Management System等）やドライバ、ハードウェアインターフェース等であって、制御部３０の指示に従って、ＤＢ部５に記憶されたデータの読み出しと記憶（登録）を行う。
【００５８】
Ｉ／Ｆ部４４は、ＵＳＢ、ＩＥＥＥ１３９４、ＳＣＳＩ、ＡＴＡＰＩ等の所定の規格に準拠したインターフェイスであって、プリント装置７及びメディア書込装置９との間でデータ通信を行う。
【００５９】
ＤＢ部５は、ＨＤやＤＶＤ等の大容量の記憶媒体を備えて構成され、例えば、リレーショナルデータベース等により受注オーダーや中断オーダーを検索可能なデータ構成で記憶する。具体的には、図４に示すデータ構造を有する仮受付オーダーＤＢ５０と、受注オーダーＤＢ６０と、中断オーダーＤＢ７０とを記憶する。
【００６０】
仮受付オーダーＤＢ５０は、仮受付オーダー５１を検索可能に記憶するデータベースであり、図４（ａ）に示すように仮受付番号５３、注文情報５５、顧客データ５７、実画像データ５９を含む仮受付オーダー５１と、保管日時５２とを対応付けて記憶する。
【００６１】
オーダー管理装置３の制御部３０は、受付端末１から仮受付オーダー５１を受信すると、現在日時を取得して保管日時５２とし、当該保管日時５２と仮受付オーダー５１とを対応付けて蓄積的に仮受付オーダーＤＢ５０に記憶していく。また、現在日時と保管日時５２とを比較して、ＤＢ部５に記憶してから所定期間（例えば、１週間）が経過した仮受付オーダー５１は消去していく。
【００６２】
受注オーダーＤＢ６０は、受注オーダー６１を検索可能に記憶するデータベースであり、図４（ａ）に示すように受注オーダー番号６３、注文情報６５、顧客データ６７、実画像データ６９を対応付けて記憶する。制御部３０は、ユーザにより仮受付番号が入力されると、その仮受付番号を含む仮受付オーダー５１を仮受付オーダーＤＢ５０から検索する。そして、受注オーダー番号６３を生成し、当該受注オーダー番号６３と、検索した仮受付オーダー５１の注文情報５５及び顧客データ５７及び実画像データ５９とを対応付けて受注オーダー６１として受注オーダーＤＢ６０に記憶する。
【００６３】
制御部３０は、受注オーダーＤＢ６０の注文情報６５に含まれる納期に基づいてプリント実行のスケジューリングを行い、当該スケジューリングに従って実画像データ１８２をプリント装置７及びメディア書込装置９に出力してプリント実行の指示する。制御部３０は、プリント装置７及びメディア書込装置９から完了通知を受け取ると、その完了したオーダーの実画像データ６９をＤＢ部５から消去していく。
【００６４】
中断オーダーＤＢ７０は、中断オーダー７１を検索可能に記憶するデータベースであり、図４（ｂ）に示すように中断オーダー番号７３、注文情報７５、顧客データ７７、実画像データ７９、サムネイル画像データ８１及び画面番号８３を含む中断オーダー７１と、保管日時８５とを対応付けて記憶する。制御部３０は、受付端末１から中断オーダーを受信すると、現在日時を取得して保管日時８５とし、中断オーダー７１に対応付けて蓄積的に中断オーダーＤＢ７０に記憶する。
【００６５】
そして、受付端末１から中断オーダー番号７３を受信した際には、その中断オーダー番号７３を含む中断オーダー７１を検索して受付端末１に送信する。また、現在日時と保管日時８５とを比較して、ＤＢ部５に記憶してから所定期間（例えば、１週間）が経過した中断オーダー７１は消去していく。
【００６６】
〔システムの具体的な動作〕
次に、図５〜図８のフローチャートとを用いて、プリント受付システムＳの具体的な動作について説明する。また、図９〜図１３は、受付端末１の画面表示の遷移例であり、適宜当該表示例を参照しつつ説明する。
【００６７】
先ず、受付端末１の制御部１０は、図５に示すフローチャートの処理を実行するメインプロセスを起動して、図９に示す受付開始画面１１０を表示部１２に表示させた後（ステップＡ１）、図７に示すフローチャートの処理を実行する注文再開プロセスを起動する（ステップＡ３）。この注文再開プロセスは、再開キー１１２が選択された場合に、オーダー管理装置３に中断オーダー７１の検索指示を行って、当該中断オーダー７１を取得するためのプロセスであり、その詳細は後述する。
【００６８】
ユーザは、受付開始画面１１０のプリントキー１０２〜１０６の何れかを選択して、プリント方法を決定する。このとき、制御部１０は、ユーザが選択したプリントキー１０２〜１０６を検知して、対応するプリント方法を記憶部１８に一時的に記憶する（ステップＡ５）。
【００６９】
そして、図９（ｂ）のようなメモリ挿入画面１１４を表示させて、メモリカードＭＣの挿入を要求し（ステップＡ７）、メモリカードスロット２２に挿入されたことを検知すると、当該メモリカードＭＣに記憶された画像データからサムネイル画像データ１８０を取得して記憶部１８に記憶する（ステップＡ９）。
【００７０】
制御部１０は、ステップＡ９の処理後、図１０（ａ）に示すサイズ選択画面１１６を表示させると共に、図６に示すフローチャートの処理を実行する中断プロセスを起動する（ステップＡ１１）。この中断プロセスは、中断キー１１０が選択された場合に、記憶部１８に記憶されたデータに基づいて中断オーダーをオーダー管理装置３に送信して、中断時点の設定内容や表示中の受付画面等を一時的に保管するためのプロセスであり、その詳細は後述する。
【００７１】
ユーザは、サイズ選択画面１１６のサイズキー１１８〜１２２の何れかを選択して、プリントサイズを決定する。このとき、制御部１０は、ユーザが選択したサイズキー１１８〜１２２を検知して、対応するプリントサイズを記憶部１８に一時的に記憶する（ステップＡ１３）。
【００７２】
次に、制御部１０は、図１０（ｂ）に示す納期選択画面１２４を表示部１２に表示させ、ユーザにより選択された納期キー１２６〜１３０を検知する。そして、選択された納期キー１２６〜１３０に対応する納期を記憶部１８に一時的に記憶する（ステップＡ１５）。
【００７３】
制御部１０は、サムネイル画像データ１８０に基づいたサムネイル画像１３４を含む画像選択画面１３２を図１１（ａ）のように表示部１２に表示させる（ステップＡ１９）。そして、ユーザに選択された画像毎に注文情報１８４を作成して、設定される枚数やトリミングの有無を当該注文情報１８４に設定していく（ステップＡ２１）。
【００７４】
ユーザは、画像選択画面１３２内のコマ画像１３６毎に表示されるプラスキー１４０及びマイナスキー１３８を選択することで枚数を設定し、トリミングキー１４２によりトリミングの有無を設定する。また、全枚数加減キー１４４及び１４６を選択することにより、全コマ画像の枚数の１枚ずつの増減を変更する。そして、次ページキー１５０及び前ページキー１４８を選択することで、ページ切り替えを行い、他のコマ画像の枚数等を設定し、その設定が完了した際に決定キー１５２を選択する。
【００７５】
制御部１０は、決定キー１５２が押下されたことを検知すると、図１１（ｂ）に示す日付表示設定画面１５４を表示させる。ユーザは、日付表示設定画面１５４の日付有無キー１５６又は１５８の何れかを選択して、日付表示の有無を決定する。このとき、制御部１０は、ユーザが選択した日付有無キー１５６又は１５８を検知して、対応する設定内容を注文情報１８４として記憶する（ステップＡ２３）。また、先に記憶したプリントサイズ及び納期も注文情報１８４として記憶する。
【００７６】
そして、コマ画像毎に設定された枚数やプリントサイズに基づいて金額を計算し、その計算結果を図１１（ｃ）のような金額確認画面１６０に表示させる（ステップＡ２５）。制御部１０は、ユーザによりＯＫキー１６４が選択されたことを検知すると、次に図１２（ａ）及び（ｂ）の客データ入力画面１６６及び１７２を順次表示させて、ユーザにより入力された顧客データ１８６を記憶部１８に記憶する（ステップＡ２７）。
【００７７】
ユーザは、テンキー群１６８により氏名の入力を行い、数字キー群１７４により電話番号の入力を行う。制御部１０は、ＯＫキー１７６が選択されたことを検知すると、注文情報１８４に基づいて注文内容を図１２（ｃ）の注文情報確認画面１７８内に表示させ（ステップＡ２９）、ＯＫキー１８１が選択されたか否かを判定する（ステップＡ３１）。
【００７８】
制御部１０は、ＯＫキー１８１が選択されず、例えば、前画面キー１０８が選択されたと判定した場合には（ステップＡ３１；Ｎｏ）、ステップＡ２１に処理を移行して、画像選択画面１３２の表示により再度画像毎の設定、日付表示の設定、顧客データ１８６の設定を繰り返す。
【００７９】
また、ＯＫキー１８１が選択されたと判定した場合は（ステップＡ３１；Ｙｅｓ）、中断プロセスにおける中断時に読み出した実画像データ１８２が記憶部１８に記憶されているか否かを判定する（ステップＡ３３）。制御部１０は、既に記憶した実画像データ１８２があると判定した場合（ステップＡ３３；Ｙｅｓ）、サムネイル画像１３４内の選択されたコマ画像のうち、既に記憶した実画像データ１８２を除く画像データを、そのファイル名に基づいて判別して、メモリカードＭＣから読み出して記憶部１８に記憶する（ステップＡ３５）。
【００８０】
また、既に読み出した実画像データ１８２がないと判定した場合（ステップＡ３３；Ｎｏ）、サムネイル画像１３４内の選択された画像の画像データを全てメモリカードＭＣから読み出して実画像データ１８２として記憶部１８に記憶する（ステップＡ３９）。このステップＡ３５及びＡ３７の画像データの読み出し時には、図１３（ａ）のようなダウンロード画面１８３を表示させる。
【００８１】
制御部１０は、ステップＡ３５及びＡ３７における画像データの読み出し完了後、図１３（ｂ）のようなメモリ取出画面１８５を表示してメモリカードＭＣの取り出しを促し、ＯＫキー１８７が選択されたことを検知したら、仮受付番号を生成して（ステップＡ３９）、その仮受付番号を印字した仮受付レシートをレシート発行部２０から発行する（ステップＡ４１）。このとき、制御部１０は、図１３（ｃ）のような指示画面１９０を表示させ、その仮受付番号を実画像データ１８２、注文情報１８４及び顧客データ１８６を対応付けて仮受付オーダーとしてオーダー管理装置３に送信する（ステップＡ４３）。
【００８２】
次に、中断プロセスについて図６のフローチャートを参照して説明する。制御部１０は、図５のステップＡ１１において中断プロセスを起動すると、中断キー１１０が押下されるまで待機する（ステップＢ１）。そして、中断キー１１０が押下されたことを検知すると（ステップＢ１；Ｙｅｓ）、図５に示すメインプロセスを停止し（ステップＢ３）、表示部１２に表示中の受付画面の画面番号を取得して記憶部１８に記憶する（ステップＢ５）。
【００８３】
次いで、中断オーダー番号を生成した後（ステップＢ７）、画像選択画面１３２において選択されたコマ画像１３６があるか否かを判定する（ステップＢ９）。制御部１０は、選択されたコマ画像１３６がないと判定した場合（ステップＢ９；Ｎｏ）、生成した中断オーダー番号にサムネイル画像データ１８０を対応付けて中断オーダー７１としてオーダー管理装置３に送信する（ステップＢ１７）。
【００８４】
また、選択されたコマ画像１３６があると判定した場合は（ステップＢ９；Ｙｅｓ）、実画像データ１８２を記憶部１８に記憶しているか否かを判定する（ステップＢ１１）。制御部１０は、実画像データ１８２を記憶している、即ちメモリカードＭＣから読み取った画像データがあると判定した場合（ステップＢ１１；Ｙｅｓ）、サムネイル画像データ１８０、実画像データ１８２、注文情報１８４、顧客データ１８６及び画面番号１８８を中断オーダー番号に対応付けて中断オーダーとしてオーダー管理装置３に送信する（ステップｂ１３）。
【００８５】
また、実画像データ１８２を記憶していないと判定した場合は（ステップＢ１１；Ｎｏ）、サムネイル画像データ１８０、注文情報１８４、顧客データ１８６及び画面番号１８８を中断オーダー番号と対応付けてオーダー管理装置３に送信する（ステップＢ１５）。
【００８６】
制御部１０は、ステップＢ１３、Ｂ１５及びＢ１７において中断オーダーを送信後、図１４（ａ）のような中断番号確認画面１９４を表示させると共に、中断オーダー番号を印字した中断レシートをレシート発行部２０から発行する（ステップＢ１９）。
【００８７】
この中断プロセスは、メモリカードＭＣからサムネイル画像データ１８０を取得した後に起動し、ユーザの注文操作が行われている間に図１０〜図１３（ａ）のように表示されている中断キー１１０が押下された場合に、当該注文操作により設定された注文内容や読み出したサムネイル画像データ１８０、実画像データ１８２を中断オーダーとしてオーダー管理装置３に送信する。これにより、ユーザが注文操作を中断した時点における注文内容や読み出した画像データ等をオーダー管理装置３において一時的に保管することとなる。
【００８８】
次ぎに、注文再開プロセスについて図７を参照して説明する。制御部１０は、図５のステップＡ３において注文再開プロセスを起動すると、再開キー１１２が押下されるまで待機する（ステップＣ１）。そして、再開キー１１２が押下されたことを検知すると（ステップＣ１；Ｙｅｓ）、表示部１２に図１４（ｂ）に示す中断番号入力画面１９８を表示部１２に表示させ、ユーザにより入力された中断オーダー番号を取得する（ステップＣ３）。
【００８９】
そして、その中断オーダー番号をオーダー管理装置３に送信し（ステップＣ５）、当該オーダー管理装置３から送信されてくる中断オーダーを受信して、その中断オーダーに含まれるサムネイル画像データ１８０、実画像データ１８２、注文情報１８４、顧客データ１８６及び画面番号１８８を記憶部１８に記憶する（ステップＣ７）。
【００９０】
制御部１０は、画面番号１８８に基づいた受付画面に表示部１２を表示させる（ステップＣ９）。具体的には、例えば、画面番号１８８がサイズ選択画面１１６を示していた場合は、当該サイズ選択画面１１６を表示させ、金額確認画面１６０を示していた場合は、注文情報１８４に基づいて金額を計算して、当該金額確認画面１６０を表示させる。また、画面番号１８８が画像選択画面１３２を示している場合は、サムネイル画像データ１８０に基づいてサムネイル画像１３４を含む画像選択画面１３２を表示させる。
【００９１】
制御部１０は、ステップＣ９において表示させた表示画面が画像選択画面１３２であるか否かを判定し（ステップＣ１１）、当該画像選択画面１３２であると判定した場合は（ステップＣ１１；Ｙｅｓ）、注文情報１８４が記憶されているか否かを判定する（ステップＣ１３）。そして、注文情報１８４が記憶されている、即ちユーザに選択されたコマ画像があった場合は（ステップＣ１３；Ｙｅｓ）、その注文情報１８４に基づいて画像選択画面１３２内のコマ画像のうち、選択された画像を太枠で囲む等して識別表示した後（ステップＣ１５）、表示中の受付画面に対応するメインプロセスのステップに処理を移行する。
【００９２】
これにより、表示部１２の受付画面をユーザが注文操作を中断した時点における受付画面に戻すと共に、設定中の注文内容を呼び戻すことで、中断した時点から引き続き注文操作を行うことができるようになる。
【００９３】
次に、オーダー管理装置の処理内容について図８を参照して説明する。オーダー管理装置３の制御部３０は、受付端末１から受信したデータ内容、ユーザによる入力部１４の操作、プリント装置７及びメディア書込装置９からの通知に応じた処理を行う。
【００９４】
先ず、制御部３０は、受付端末１から仮受付オーダー５１を受信した場合に（ステップＤ１；Ｙｅｓ）、当該仮受付オーダー５１を保管日時５２に対応付けて仮受付オーダーＤＢ５０に記憶する（ステップＤ３）。また、受付端末１から中断オーダー７１を受信した場合には（ステップＤ５；Ｙｅｓ）、当該中断オーダー７１を保管日時８５に対応付けて中断オーダーＤＢ７０に記憶する（ステップＤ７）。
【００９５】
制御部３０は、中断オーダー番号７３を受付端末１から受信した場合には（ステップＤ９；Ｙｅｓ）、当該中断オーダー番号７３を含む中断オーダー７１を中断オーダーＤＢ７０から検索し（ステップＤ１１）、その中断オーダー７１をＤＢ部５から読み出して受付端末１に送信する（ステップＤ１３）。
【００９６】
即ち、受付端末１において中断オーダー番号７３が入力された場合には、ユーザが中断した時点において当該受付端末１で一時的に記憶していた注文情報１８４、顧客データ１８６、画面番号１８８及びサムネイル画像データ１８０と、メモリカードＭＣから読み出した実画像データ１８２とを送信して、その中断時点からの注文操作を再開できるようにする。
【００９７】
制御部３０は、プリント装置７及びメディア書込装置９からプリント完了の通知を受信すると（ステップＤ１５；Ｙｅｓ）、その完了したプリントの実画像データ６９を受注オーダーＤＢ６０から消去する（ステップＤ１７）。
【００９８】
また、仮受付番号５３がユーザの入力部１４の操作によって入力された場合には（ステップＤ１９；Ｙｅｓ）、当該仮受付番号５３を含む仮受付オーダー５１を仮受付オーダーＤＢ５０から検索する。そして、その仮受付オーダー５１の仮受付番号５３を受注オーダー番号６３に置き換え受注オーダー６１としてＤＢ部５に記憶する。この受注オーダーＤＢ６０の記憶により注文受付の完了とする。
【００９９】
制御部３０は、受注オーダーＤＢ６０への記憶後、受注オーダーＤＢ６０の注文情報６５に従った実行開始の指示をプリント装置７及びメディア書込装置９に行い（ステップＤ２３）、実画像データ６９を送信する（ステップＤ２５）。
【０１００】
また、制御部３０は、ユーザが仮受付中断操作（例えば、キャンセルキーの押下）を行ったか否かを判定し（ステップＤ２７）、入力部１４からの操作信号に基づいて当該操作が為されたことを検知すると（ステップＤ２７；Ｙｅｓ）、入力部１４から入力された仮受付番号５３を取得し（ステップＤ２９）、当該仮受付番号５３を含む仮受付オーダー５１を検索してＤＢ部５から読み出す（ステップＤ３１）。
【０１０１】
そして、中断オーダー番号７３を生成して（ステップＤ３３）、読み出した仮受付オーダー５１の仮受付番号５３を、その中断オーダー番号７３に置き換え、中断オーダー７１としてＤＢ部５に記憶後（ステップＤ３５）、中断オーダー番号７３を印字した中断オーダー７１をレシート発行部４２から発行する（ステップＤ３７）。
【０１０２】
これにより、受付端末１で一旦受け付けたオーダーを、顧客が例えば料金の不足等により別の日に出直す場合に、その仮状態で受け付けたオーダーを中断して、出直した際に改めてそのオーダーを再開することができる。
【０１０３】
尚、仮受付後のオーダーの中断を、オーダー管理装置３側で行うこととしたが、例えば、受付端末１側でユーザが仮受付中断操作を行った場合に行うこととしてもよい。この場合、受付端末１の制御部１０は、仮受付中断操作が行われた旨と入力された仮受付番号とをオーダー管理装置３に送信すると共に、オーダー管理装置３により生成された中断オーダー番号を印字した中断レシートを発行することにより実現可能である。
【０１０４】
一方、オーダー管理装置３の制御部３０は、現在日時を取得し、当該現在日時と仮受付オーダーＤＢ５０の保管日時５２及び中断オーダーＤＢ７０の保管日時８５とを比較して、所定期間を超えた仮受付オーダー５１及び中断オーダー７１が記憶されているか否かを判定する（ステップＤ３９）。そして、所定期間を超えた仮受付オーダー５１及び中断オーダー７１が記憶されていると判定した場合には（ステップＤ３９）、その仮受付オーダー５１及び中断オーダー７１をＤＢ部５から消去する（ステップＤ４１）。
【０１０５】
以上、本実施形態によれば、ユーザの注文操作が中断された場合に、その中断時に記憶している注文情報１８４と、メモリカードＭＣから読み出した実画像データ１８２及びサムネイル画像データ１８０とを、オーダー管理装置３に送信してＤＢ部５に記憶する。また、その注文操作が再開された場合には、ＤＢ部５に記憶している注文情報１８４を読み出し、当該注文操作に応じて注文情報１８４を更新する。このため、ユーザは、注文操作の中断以前に設定していた注文内容を再度設定する手間が省ける。
【０１０６】
また、注文操作が再開された場合には、ＤＢ部５に記憶しているサムネイル画像データ１８０を読み出して、受付端末１において当該サムネイル画像データ１８０に基づいてサムネイル画像１３４を表示するため、メモリカードＭＣに記憶された画像データからサムネイル画像データ１８０を取得する必要がなくなる。また、メモリカードＭＣから実画像データ１８２を読み出している途中に中断された際には、読み出した分の実画像データ１８２をＤＢ部５に記憶し、注文操作が再開された場合には、ユーザが選択した画像のうち、既に読み出した実画像データ１８２を除く画像データをメモリカードＭＣから読み出す。
【０１０７】
このため、注文操作の再開時に、サムネイル画像データ１８０を取得する時間や、メモリカードＭＣから画像データを読み出す時間を短縮することができる。従って、注文操作を中断した後に再開する際の、ユーザの負担を軽減することができる。
【０１０８】
〔変形例〕
尚、上述した実施形態は、本発明を適用した一例であり、その適用可能な範囲は上述したものに限らず、適宜変更可能である。
【０１０９】
例えば、中断オーダー７１を例えば一週間といった所定期間の間、中断オーダーＤＢ７０に記憶しておくこととして説明したが、その記憶しておく期間をユーザが指定可能としてもよい。この場合、注文操作の中断時に、保管期間の入力をユーザに要求し、その入力された保管期間を中断オーダー７１に対応付けてＤＢ部５に記憶する。そして、現在日時と保管日時５２とを比較して、ＤＢ部５の記憶期間が指定された保管期間を経過した場合は、その中断オーダー７１をＤＢ部５から消去する。これにより、ユーザが、所望する期間の間のみ、中断オーダー７１を保管しておくことができる。
【０１１０】
また、中断時に表示している受付画面の画面番号１８８を中断オーダー７１に含めて記憶することとしたが、例えば、ユーザの操作履歴を中断オーダー７１に含めて記憶することとしてもよい。具体的には、受付端末１の制御部１０は、入力部１４から入力される操作信号に基づいてユーザの注文操作を操作履歴情報として記憶部１８に記憶していく。そして、その注文操作が中断キー１１０の選択により中断された場合には、中断オーダー７１に操作履歴情報を含めてオーダー管理装置３に送信する。
【０１１１】
そして、受付端末１において中断オーダー番号が入力された際には、中断オーダー７１をＤＢ部５から読み出して、その中断オーダー７１に含まれる操作履歴情報に基づいて、ユーザが注文操作時に表示した受付画面を表示部１２に順次表示させる。これにより、中断時にどのような注文操作を行っていたかをユーザに確認させ思い出させることができる。
【０１１２】
また、本発明のオーダー受付装置を、プリント受付システムＳに適用することとして説明したが、例えば、受付端末１、オーダー管理装置３、プリント装置７及びメディア書込装置９を一体的に構成して単体装置として実現してもよいし、受付端末１及びオーダー管理装置３を一体的に構成することとしてよく、構成例は適宜変更可能である。尚、装置構成を変更したとしても、上述した実施形態と同様の効果が得られるのは無論である。
【０１１３】
また、画像データに対する特定処理の実行として、写真プリントやメディアへの書き込みを一例としてあげて説明したが、例えば、画像データに対する画像処理の実行等を受け付けることとしてもよい。
【図面の簡単な説明】
【０１１４】
【図１】プリント受付システムのシステム構成例を示すブロック図。
【図２】受付端末の機能構成の一例を示すブロック図。
【図３】オーダー管理装置の機能構成の一例を示すブロック図。
【図４】（ａ）は仮受付オーダーＤＢ、（ｂ）は受注オーダーＤＢ、（ｃ）は中断オーダーＤＢそれぞれのデータ構造の一例を示す図。
【図５】受付装置の具体的な動作を説明するためのフローチャート
【図６】中断プロセスの処理内容を説明するためのフローチャート。
【図７】注文再開プロセスの処理内容を説明するためのフローチャート。
【図８】オーダー管理装置の具体的な動作を説明するためのフローチャート。
【図９】受付画面の遷移例を示す第１の図。
【図１０】受付画面の遷移例を示す第２の図。
【図１１】受付画面の遷移例を示す第３の図。
【図１２】受付画面の遷移例を示す第４の図。
【図１３】受付画面の遷移例を示す第５の図。
【図１４】受付画面の遷移例を示す第６の図。
【符号の説明】
【０１１５】
１      受付端末
３      オーダー管理装置
５      ＤＢ部
７      プリント装置
９      メディア書込装置
１０    制御部
１２    表示部
１４    入力部
１６    通信制御部
１８    記憶部
２０    レシート発行部
２２    メモリカードスロット
５１    仮受付オーダー
６１    受注オーダー
７１    中断オーダー
７３    中断オーダー番号
１８０  サムネイル画像データ
１８２  実画像データ
１８４  注文情報
１８６  顧客データ
１８８  画面番号
５０    仮受付オーダーＤＢ
６０    受注オーダーＤＢ
７０    中断オーダーＤＢ
ＭＣ    メモリカード
Ｓ      プリント受付システム
【図１】
2007193580.tif 000003
【図２】
2007193580.tif 000004
【図３】
2007193580.tif 000005
【図４】
2007193580.tif 000006
【図５】
2007193580.tif 000007
【図６】
2007193580.tif 000008
【図７】
2007193580.tif 000009
【図８】
2007193580.tif 000010
【図９】
2007193580.tif 000011
【図１０】
2007193580.tif 000012
【図１１】
2007193580.tif 000013
【図１２】
2007193580.tif 000014
【図１３】
2007193580.tif 000015
【図１４】
2007193580.tif 000016